(57)【要約】【課題】  歌唱の音高のリファレンスデータとの比較だけでは行うことができない正確な歌唱評価を行うことができるカラオケ装置を提供する。【解決手段】  歌唱評価ユニット１９において、声質評価１３０では、歌唱音声のフォルマントデータを解析し、歌唱音声の声質を示す透明度データおよび響き度データを生成し、評価情報生成処理１５０では、カラオケ曲全体を通じて声質パラメータを音域別に分類し、この声質パラメータの音域別分類結果から歌唱の総合的評価を示す情報を生成する。【選択図】      図２
2006259333.tif 000002
【特許請求の範囲】
【請求項１】
曲データに従ってカラオケ演奏を行うカラオケ演奏手段と、
歌唱音声を収音し、歌唱音声データを出力する収音手段と、
前記歌唱音声データを解析し、歌唱音声の声質を示す声質パラメータを生成する声質評価手段と、
前記声質パラメータの音高との関係を反映させて、歌唱に関する評価情報を生成する歌唱評価手段と
を具備することを特徴とするカラオケ装置。
【請求項２】
音高の変化に対する前記声質パラメータの変化の態様を表示する表示手段を具備することを特徴とする請求項１に記載のカラオケ装置。
【発明の詳細な説明】
【技術分野】
【０００１】
この発明は、採点機能を有するカラオケ装置に関する。
【背景技術】
【０００２】
採点機能を備えたカラオケ装置が実用化されている。その採点機能は、たとえば、カラオケ曲の演奏にあわせて歌唱される歌唱者の歌唱音声を取り込み、歌唱音声の音高と基準となるリファレンスデータが示す音高との一致度によってその巧拙を採点するものである（例えば特許文献１参照）。
【特許文献１】特開平１０−４９１８３号公報
【発明の開示】
【発明が解決しようとする課題】
【０００３】
しかし、歌唱の巧拙はリファレンスデータとの音高の一致度のみにより決定されるものではなく、たとえリファレンスデータ通りの音高で歌唱が行われていても、例えば高音になると声が濁り、あるいは低音になると声の響きがなくなる、というのでは決して巧い歌唱とは言えない。
【０００４】
この発明は、以上説明した事情に鑑みてなされたものであり、歌唱の音高のリファレンスデータとの比較だけでは行うことのできない正確な歌唱評価を行うことができるカラオケ装置を提供することを目的とする。
【課題を解決するための手段】
【０００５】
この発明は、曲データに従ってカラオケ演奏を行うカラオケ演奏手段と、歌唱音声を収音し、歌唱音声データを出力する収音手段と、前記歌唱音声データを解析し、歌唱音声の声質を示す声質パラメータを生成する声質評価手段と、前記声質パラメータの音高との関係を反映させて、歌唱に関する評価情報を生成する歌唱評価手段とを具備することを特徴とするカラオケ装置を提供する。
かかるカラオケ装置によれば、歌唱音声の声質を考慮した正確な歌唱の評価を行うことができる。
【発明を実施するための最良の形態】
【０００６】
以下、図面を参照し、本発明の実施の形態について説明する。
図１は、この発明の一実施形態であるカラオケ装置の構成を示すブロック図である。このカラオケ装置は、装置全体の動作を制御するＣＰＵ１０と、これに接続されたハードディスク１１、ＲＡＭ１２、音源１３、ミキサ（エフェクタ）１４、歌唱評価ユニット１９、ＭＰＥＧデコーダ２０、合成回路２１、操作部２３などにより構成されている。
【０００７】
ハードディスク１１には、次のようなデータが記憶されている。まず、曲データ４０は、カラオケ曲を演奏するための楽音トラック、ガイドメロディを発生するためのガイドメロディトラック、歌詞テロップを表示するための歌詞トラック、曲中の区切りを示すマークデータが書き込まれるマークデータトラックなどからなっている。各トラックは、ＭＩＤＩフォーマットに従って記述され、イベントデータと各イベントデータの読み出しタイミングを示すタイミングデータからなっている。タイミングデータは、各イベントデータ間の時間的間隔を示すデュレーションデータまたは曲のスタート時刻からの絶対時間を示す絶対時間データにより構成することができるが、本実施形態では後者の絶対時間データがタイミングデータとして用いられる。楽音トラック、ガイドメロディトラックのイベントデータは、楽音の音高、音量、オン／オフなどを示すノートイベントデータなどにより構成される。カラオケ演奏では、このノートイベントデータが音源１３に入力されることにより、音源１３によりこのイベントデータに対応する楽音の発音や消音が行われる。背景映像データ４１は、ＭＰＥＧ２形式によりエンコードされている。
【０００８】
操作部２３は、パネルスイッチインタフェースやリモコン受信回路などからなっており、利用者によるパネルスイッチやリモコン装置の操作に応じた操作信号をＣＰＵ１０に供給する。ＣＰＵ１０は、操作入力処理プログラム３５によってこの操作信号を検出し、対応する処理を実行する。
【０００９】
パネルスイッチやリモコン装置で曲番号が入力されると、操作入力処理プログラム３５がこれを検出し、カラオケ曲のリクエストであるとしてシーケンサ３０に伝達する。シーケンサ３０は、これに応じて、この曲番号で識別されるカラオケ曲の曲データをハードディスク１１の曲データ記憶エリアから読み出す。シーケンサ３０は、曲シーケンサおよび歌詞シーケンサからなっており、曲データ中の演奏データトラック、ガイドメロディトラックなどのトラックのデータを読み出し、このデータにより音源１３を制御することによってカラオケ曲の演奏音を発生させるとともに、曲データ中の歌詞トラックのデータを読み出し、このデータに基づいて歌詞テロップの画像パターンを作成して合成回路２１に出力する。また、背景映像再生プログラム３３は、シーケンサ３０からの指示に応じて所定の背景映像データ４１を読み出してＭＰＥＧデコーダ２０に入力する。ＭＰＥＧデコーダ２０は、背景映像データ４１をＮＴＳＣの映像信号にデコードして合成回路２１に入力する。合成回路２１は、この背景映像の映像信号の上に歌詞テロップや種々のＯＳＤを合成する回路である。この合成された映像信号はモニタ２２に表示される。
【００１０】
音源１３は、ＣＰＵ１０が実行するシーケンサ３０の処理によって再生された曲データ（ノートイベントデータ等）に応じて楽音信号を形成する。この楽音信号はミキサ１４に入力される。ユーザの歌唱音声は、マイク１７により収音される。このマイク１７から出力される歌唱音声信号（アナログ信号）は、Ａ／Ｄコンバータ１８によりデジタル信号である歌唱音声データに変換される。ミキサ１４は、この歌唱音声データに対してエコーなどの効果を付与し、音源１３から出力された楽音信号と適当なバランスでミキシングする。ミキシングされたデジタルの音声信号はサウンドシステム１５に入力される。サウンドシステムはＤ／Ａコンバータおよびパワーアンプを備えており、入力されたデジタル信号をアナログ信号に変換して増幅し、スピーカ１６から放音する。
【００１１】
Ａ／Ｄコンバータ１８から出力される歌唱音声データは、歌唱評価ユニット１９にも入力される。この歌唱評価ユニット１９には、この歌唱音声データの他、リファレンスデータと歌詞テロップが与えられる。リファレンスデータと歌詞テロップは、カラオケ演奏において、楽曲トラックのイベントデータとともに同期再生され、歌唱評価ユニット１９に与えられる。本実施形態の最大の特徴は、この歌唱評価ユニット１９にある。
【００１２】
図２は歌唱評価ユニット１９の処理内容を示す図である。歌唱評価ユニット１９は、先入れ先出し式のバッファ１０１〜１０３を有している。カラオケ演奏時、ハードディスク１１から再生される歌詞テロップおよびリファレンスデータは、バッファ１０１および１０２に順次格納され、Ａ／Ｄコンバータ１８から出力される歌唱音声データは、タイムスタンプが付加されてバッファ１０３に格納される。このタイムスタンプは、カラオケ演奏開始時点からの経過時間を示す情報である。そして、歌唱評価ユニット１９では、バッファ１０２に格納されたリファレンスデータと、バッファ１０３に格納された歌唱音声データとを用いて歌唱の評価が行われる。本実施形態では、歌唱の評価結果をユーザに提供する他、歌唱の評価結果をユーザが利用する便宜を図るための処理が行われる。バッファ１０１に格納される歌詞テロップは、専ら後者の処理のために利用される。
【００１３】
評価区間特定処理１１１では、バッファ１０２内のリファレンスデータを参照することにより、カラオケ曲上、例えば同じ音高での発声を１秒以上継続する歌唱が行われる区間を評価区間として特定し、その評価区間に属するリファレンスデータ（ここでは、ノートナンバを含むノートイベントデータ）を取り込む。このような評価区間は、通常、１曲中に複数現れる。カラオケ演奏中、評価区間特定処理１１１では、それらの評価区間が順次特定される。以下に述べる各処理は、それらの評価区間の各々について実行される。評価区間特定処理１１１では、評価区間を特定すると、その評価区間を示す情報とその評価区間に属していたリファレンスデータをフォルマントデータ生成処理１１２に引き渡す。評価区間を示す情報は、曲の開始時刻を基準とした評価区間の開始点および終了点の時刻を示している。この情報は、リファレンスデータ中のタイミングデータを参照することにより求められる。
【００１４】
フォルマントデータ生成処理１１２では、評価区間特定処理１１１から引き渡される情報に基づき、測定区間を求める。この測定区間は、評価区間を中央に含み、かつ、評価区間より長い区間とされる。次に、フォルマントデータ生成処理１１２では、この測定区間内の歌唱音声データをバッファ１０３から取り込む。そして、この歌唱音声データを複数の小区間に分割し、各小区間の歌唱音声データに対するＦＦＴ（高速フーリエ変換）を実行し、小区間毎にフォルマントデータを生成する。このフォルマントデータは、歌唱音声データによって表される音声波形の周波数軸上でのスピクトルの包絡線を示すデータである。図３に示すように、フォルマントデータは、周波数軸方向に並んだ複数の山を呈する。これらのうち最も周波数の低い位置にある山は第１フォルマントと呼ばれ、その高域側にある各山は、周波数の低い順に第２フォルマント、第３フォルマント、〜と呼ばれる。第１フォルマントの周波数は、音声のピッチと対応している。フォルマントデータ生成処理１１２では、各小区間から得られたフォルマントデータから音声のピッチを各々求め、それらを評価区間特定処理１１１から引き渡されたリファレンスデータが示すピッチと比較する。そして、フォルマントデータ生成処理１１２では、リファレンスデータが示すピッチに最も近いピッチの得られたフォルマントデータを評価用フォルマントデータとする。また、その評価用フォルマントデータが得られた歌唱音声データの小区間を歌唱音声データの評価区間とし、この区間を示す情報を評価区間特定処理１１１に引き渡す。
【００１５】
評価区間特定処理１１１では、評価区間を示す情報をフォルマントデータ生成処理１１２に引き渡した後、フォルマントデータ生成処理１１２から歌唱音声データの評価区間を示す情報を受け取った場合、この対をなす評価区間のために、例えば連番であるタグを発生する。そして、このタグをバッファ１０１内の評価区間に属する歌詞テロップ、バッファ１０２内の評価区間に属するリファレンスデータおよびバッファ１０３内の歌唱音声用の評価区間に属する歌唱音声データに各々付加する。ここで、タグは、各データにおける評価区間の開始位置に付加され、その位置は、リファレンスデータおよび歌詞テロップについては各々に含まれるタイミングデータに基づいて決定され、歌唱音声データについてはタイムスタンプに基づいて決定される。また、評価区間特定処理１１１では、タグを生成すると、このタグをフォルマントデータ生成処理１１２に引き渡す。フォルマントデータ生成処理１１２では、このタグと、評価区間に属するリファレンスデータと、歌唱音声用の評価区間に属する歌唱音声データのフォルマントデータとをひとかたまりにまとめた評価用データブロック１１３を生成する。
【００１６】
以上の処理が、評価区間特定処理１１１により特定された各評価区間について順次実行され、各評価区間に対応した評価用データブロック１１３が順次生成され、バッファ１０１〜１０３内のデータに各評価区間に対応したタグが順次付加されてゆく。バッファ１０１〜１０３では、それらに格納されているデータにタグが付加されると、このタグの付加された位置よりも時間的に前のデータは、バッファ１０４〜１０６に各々移動される。最後にタグが付加された位置以降のデータは、カラオケ演奏が終了したときにバッファ１０１〜１０３からバッファ１０４〜１０６に各々移動される。
【００１７】
フォルマントデータ生成処理１１２により生成される評価用データブロック１１３は、音程評価１２０および声質評価１３０に各々引き渡される。音程評価１２０では、評価用データブロック１１３内のリファレンスデータが示すピッチとフォルマントデータが示すピッチとの音高差を求め、音程評価データを生成する。ここで、音程評価データは、０点から１００点までの得点を示しており、音高差が小さくなるほど得点は高くなる。そして、音程評価１２０では、この音高評価データと元の評価用データブロック１１３のタグとリファレンスデータとを含んだ評価結果データブロック１２１を生成する。
【００１８】
声質評価１３０は、透明度評価１３１と響き度評価１３２とからなる。透明度評価１３１では、評価用データブロック１１３内のフォルマントデータに基づいて歌唱音声の透明度を示す透明度データを演算し、この透明度データと元の評価用データブロック１１３のタグとリファレンスデータとを含んだ評価結果データブロック１３３を生成する。また、響き度評価１３２では、評価用データブロック１１３内のフォルマントデータに基づいて歌唱音声の響き度を示す響き度データを演算し、この響き度データと元の評価用データブロック１１３のタグとリファレンスデータとを含んだ評価結果データブロック１３４を生成する。
【００１９】
歌唱音声の透明度および響き度を演算する手法として、各種のものが考えられるが、本実施形態では、本出願人による出願である特願２００４−３６３７３０号において提案されている手法を用いる。以下、透明度および響き度の演算方法を説明する。
【００２０】
まず、透明度評価１３１では、図３に示すように、フォルマントデータが示すフォルマント曲線２００において、各フォルマントのピーク点を繋ぐ包絡線２０１を求める。そして、第１フォルマントのピークよりも高域側において、この包絡線２０１とフォルマント曲線２００との差分の積分、すなわち、図４において破線によって示す領域２０２の総面積をピーク間減衰量として求める。このピーク間減衰量は、フォルマント曲線における各フォルマントのピークとそれらのピーク間に挟まれた谷の部分との間の減衰量、すなわち、歌唱音声における基本波およびその倍音成分のレベルとそれ以外のスペクトルのレベルとの差を反映した値となる。ここで、歌唱音声は、基本波成分および倍音成分が支配的である程、透明度が高く、基本波成分および倍音成分以外のスペクトルのレベルが高くなるに従って透明度が低下する。従って、ピーク間減衰量は、歌唱音声の透明度を反映するものであるといえる。そこで、本実施形態における透明度評価１３１では、以上のようにしてフォルマントデータからピーク間減衰量を算出し、このピーク間減衰量が大きくなるほど大きな値となる透明度データを生成している。
【００２１】
次に、響き度評価１３２では、フォルマント曲線において第１フォルマントにおけるピーク値２０３と、ｆ＝２ｋＨｚ〜３ｋＨｚの周波数範囲内における包絡線２０１の値の平均値２０４とを求め、これらの差分２０５を求める。ここで、ある歌唱音声から得られたフォルマント曲線において、この差分２０５が小さい場合、その歌唱音声には高次の倍音が豊富に含まれているということができる。そして、一般にそのような歌唱音声はよく響く。逆に、歌唱音声から得られたフォルマント曲線において差分２０５が小さい場合、その歌唱音声では高次の倍音が乏しいということができる。そして、一般にそのような歌唱音声は響かない。そこで、本実施形態における響き度評価１３２では、以上のようにしてフォルマントデータから差分２０５を算出し、この差分２０５が小さくなるほど大きな値となる響き度データを生成している。
【００２２】
図２において、評価データ分類用バッファ１４０は、複数のエリアを有している。これらのエリアは、本実施形態において取り扱い可能な歌唱音声の全周波数帯域を分割した複数の音域に対応付けられている。音程評価１２０、透明度評価１３１または響き度評価１３２により評価結果データブロック１２１、１３３または１３４が生成された場合、それに含まれるリファレンスデータが示すピッチの属する音域が判定され、評価結果データブロックは、評価データ分類用バッファ１４０におけるその音域に対応したエリアに格納される。
【００２３】
評価情報生成処理１５０では、１曲分のカラオケ演奏が終了した時点において評価データ分類用バッファ１４０に格納されている評価結果データブロック１２１内の音程評価データを音域毎に平均値を求め、音高を横軸とした音程評価データのグラフを示す情報を作成する。また、全音域を通じての音程評価データの平均値を求め、音程に関する評価結果とする。また、評価データ分類用バッファ１４０に格納されている評価結果データブロック１３３および１３４についても音域毎に透明度および響き度の平均値を求め、音高を横軸とした透明度のグラフ、響き度のグラフを示す各情報を各々生成する。ここで、透明度や響き度といった声質は、音程と同様な評価にはなじまない。声質は、いわば個性であり、良し悪しという尺度では測り得ないからである。そこで、評価情報生成処理１５０では、音高の変化に対する透明度や響き度の安定性を求め、これらを透明度および響き度に関する評価結果とする。例えば、カラオケ演奏曲の全音域に対して、透明度や響き度の安定している範囲の占める割合を透明度および響き度に関する評価結果とすることができる。透明度および響き度の安定している範囲は、例えば次のようにして求める。まず、評価データ分類用バッファ１４０内において音域別に分類された透明度データおよび響き度データの各々について、音域毎に平均値と標準偏差を求める。そして、透明度データ（響き度データ）の標準偏差が比較的低く、かつ、音高の変化に対する透明度データ（響き度データ）の平均値の変化が緩やかな区間を透明度データ（響き度データ）の安定している範囲と判断する。評価情報生成処理１５０では、以上のようにして求めた音程、透明度、響き度に関する評価結果を例えば平均化するなどして総合的な歌唱評価データを生成する。そして、このようにして生成した各種の情報をＣＰＵ１０に引き渡す。ＣＰＵ１０は、この引き渡された各種の情報を例えば図６に示すように評価結果としてモニタ２２に表示する。
【００２４】
ユーザは、このモニタ表示により、音程だけでなく、透明度、響き度を含めた総合的な歌唱評価を確認することができ、また、音程、透明度、響き度の各項目についての評価を個別的に確認することができる。しかも、各項目の得点が音高を横軸としてグラフ表示されるため、ユーザは自分の歌唱の特徴を詳細に知ることができる。
【００２５】
本実施形態では、図６のモニタ表示に加えて、歌唱の評価に関するさらに詳細な情報をユーザに提供することができる。例えば図６では、低音域の広い範囲において透明度と響き度が低くなっている。ユーザは、例えば透明度のグラフ表示において自分の気になる音域がある場合、操作部２３の操作により、その音域にカーソルを表示させ、音域を指定する。すると、ＣＰＵ１０は、ユーザによって透明度が指定されたこと、およびユーザによって指定された音域を歌唱評価ユニット１９に通知する。
【００２６】
この結果、歌唱評価ユニット１９における評価情報生成処理１５０では、このＣＰＵ１０から通知された音域に対応した評価データ分類用バッファ１４０のエリアから、響き度データを含んだ全ての評価結果データブロック１３３が読み出される。そして、それらの評価結果データブロック１３３に含まれるタグと、バッファ１０４内の全歌詞テロップがＣＰＵ１０に引き渡される。ＣＰＵ１０は、この引き渡された全歌詞テロップを合成回路２１に送ってモニタ２２に表示させる。その際に、ＣＰＵ１０は、全歌詞テロップにおいて、評価情報生成処理１５０から引き渡されたタグに対応した部分の色を他の部分と異なる色で表示させる。これによりユーザは、自分の歌唱音声の透明度が歌唱中のどの箇所において低くなっているのかを確認することができる。
【００２７】
さらに透明度が低いとはどういう状況かを知りたいユーザがいるかも知れない。そのようなユーザは、操作部２３を操作して、歌詞テロップにおいて変色表示されている部分の中から自分の希望する部分を指定すればよい。ＣＰＵ１０は、先に評価情報生成処理１５０から引き渡されたタグの中からユーザによって指定された変色表示部分に対応したタグを選択し、歌唱評価ユニット１９に引き渡す。
【００２８】
すると、歌唱評価ユニット１９における評価情報生成処理１５０では、このタグと同一のタグが付加された歌詞テロップ、リファレンスデータおよび歌唱音声データがバッファ１０４〜１０６から読み出され、ＣＰＵ１０に送られる。なお、この際に、ユーザによる確認を容易にするため、ＣＰＵ１０から引き渡されたタグと同一のタグの付加されたデータだけでなく、その前後所定範囲内の部分をも含む歌詞テロップ、リファレンスデータおよび歌唱音声データをＣＰＵ１０に送るようにしてもよい。
【００２９】
ＣＰＵ１０は、歌唱評価ユニット１９から取得した歌詞テロップを合成回路２１に、リファレンスデータを音源１３に、歌唱音声データをミキサ１４に供給する。これによりユーザは、自分が指定した部分の歌唱音声を確認することができる。以上、透明度を例に説明したが、響き度、音程についても同様であり、ユーザは、響き度、音程の気になる音域を指定することにより、歌唱における該当部分を知ることができ、さらにその部分の自分の歌唱を確認することができる。なお、以上の動作の際に、ユーザから指定があった場合には、ＣＰＵ１０は、音源１３にリファレンスデータを送らず、ガイドメロディの再生を停止してもよい。
【００３０】
＜他の実施形態＞
以上、この発明の実施形態を説明したが、これら以外にも、本発明には各種の実施形態が考えられる。例えば次の通りである。
（１）歌唱評価ユニット１９が行う歌唱評価の方法として、上記実施形態において示したもの以外にも各種のものが考えられる。例えば、音程、透明度、響き度の総合評価を平均して歌唱の総合評価を行うのではなく、各項目に重みを持たせ、加重平均により歌唱の総合評価を行う等があり得る。いずれの評価方法を採用するかは、顧客層の要求に合わせて決定すればよい。また、歌唱評価方法を１種類に固定するのではなく複数種類用意し、ユーザが操作部２３の操作により選択するようにしてもよい。
【００３１】
（２）上記実施形態では、透明度と響き度という観点から声質を捉え、この声質に基づく歌唱の評価を行った。しかし、さらに別の観点から声質を捉えた声質パラメータを追加し、それらの声質パラメータに基づいて歌唱の評価を行っても良い。
【００３２】
（３）ある音高ＮＭＡＸ以上になると、あるいはある音高ＮＭＩＮ以下になると、歌唱音声の透明度や響き度が著しく低下する場合、その人が無理なく歌唱し得る音域はＮＭＩＮ〜ＮＭＡＸの範囲であるといえる。そこで、そのような音域にあった曲をカラオケ装置がユーザに案内するように構成してもよい。
【００３３】
（４）上記（３）において、１曲の歌唱では、ユーザの音域ＮＭＩＮ〜ＮＭＡＸが分からない場合もある。そこで、複数曲に亙って透明度や響き度の評価データを音域別に蓄積し、ユーザの音域ＮＭＩＮ〜ＮＭＡＸを求めるようにしてもよい。その際、１台のカラオケ装置を複数のユーザが使用し得ることを考慮し、ユーザには、選曲の際にそのユーザを特定するＩＤを入力させる。そして、選曲後に始まる歌唱について、評価を行い、歌唱評価ユニット１９では、このＩＤに対応付けて透明度や響き度の評価データを音域別に蓄積する。このようにしてＩＤ毎に複数曲に亙って蓄積されるデータを用いて、そのユーザの音域ＮＭＩＮ〜ＮＭＡＸを求めるようにすればよい。
【００３４】
（５）上記（３）または（４）の方法により、あるユーザの音域ＮＭＩＮ〜ＮＭＡＸが得られた場合において、その後、そのユーザによる選曲が行われたとする。この場合に、ＣＰＵ１０がその曲の音域とユーザの音域ＮＭＩＮ〜ＮＭＡＸとを比較して、ユーザが無理なくその曲を歌えるかを判断し、例えば「キーを○度下げてはどうですか」など、判断結果をモニタ２２に表示するようにしてもよい。
【００３５】
（６）上記実施形態では、歌唱音声データから得られた透明度データや響き度データを、その歌唱のお手本であるリファレンスデータの属する音域別に分類した。そのようにする代わりに、歌唱音声データから得られた透明度データや響き度データを、同歌唱音声データから得られた音高データの属する音域別に分類するようにしてもよい。
【図面の簡単な説明】
【００３６】
【図１】この発明の一実施形態であるカラオケ装置の構成を示すブロック図である。
【図２】同装置における歌唱評価ユニットの処理内容を示す図である。
【図３】同ユニットにおいて行われる声質評価の方法を示す図である。
【図４】同ユニットにおいて行われる声質評価の方法を示す図である。
【図５】同ユニットにおいて行われる声質評価の方法を示す図である。
【図６】同実施形態においてモニタに表示される歌唱評価の例を示す図である。
【符号の説明】
【００３７】
１９…歌唱評価ユニット、１２０…音程評価、１３０…声質評価、１５０…評価情報生成処理。
【図１】
2006259333.tif 000003
【図２】
2006259333.tif 000004
【図３】
2006259333.tif 000005
【図４】
2006259333.tif 000006
【図５】
2006259333.tif 000007
【図６】
2006259333.tif 000008